(57)【要約】【課題】断熱性の優れた単一セクション型又は多セクション型のシャッターを提供する。【解決手段】関節式の大開口シャッター１０は、隣接するガラス窓間の鉛直領域及び水平領域に配設された複数の熱伝達性金属フレーム部材１６、１８によって支持された多数の断熱ガラス窓１４を有する。水平フレーム部材は、凹状縁端空隙１３と、開放された凹状縁端空隙と嵌合する雄型断熱バンド２８１及び雌型断熱バンド３８１、又はシャッターが閉じた状態において水平領域を断熱する断熱充填ビームとを有する。鉛直フレーム部材は実質的に包囲された空隙２６を画成し、この空隙内には事前成形された自己支持式の断熱バンド２７が挿入され、鉛直領域を断熱し、ひいてはシャッターのほぼ全体についてそれらを介した熱伝達に対して断熱する。【選択図】図５
2007315168.tif 000002
【特許請求の範囲】
【請求項１】
それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓を有する大開口シャッターであって、
前記水平フレーム部材が、当該シャッターが閉じた状態において対向する縁端空隙と、該縁端空隙内に配置されると共に当該シャッターが閉じた状態において前記水平領域を断熱するような関係で協働する断熱バンドとを有し、これにより当該シャッターがそのガラス窓及び水平フレーム部材においてこれらを介した熱伝達に対して断熱される、大開口シャッター。
【請求項２】
前記鉛直フレーム部材が実質的に包囲された空隙を画成し、該空隙内に断熱バンドが断熱するような関係で配置され、これにより前記シャッターがそのガラス窓、水平フレーム部材及び鉛直フレーム部材においてこれらを介した熱伝達に対して断熱される、請求項１に記載の大開口シャッター。
【請求項３】
前記フレーム部材がアルミニウムから製造される、請求項１に記載の大開口シャッター。
【請求項４】
前記断熱バンドが断熱プラスチック構造体を具備する、請求項１に記載の大開口シャッター。
【請求項５】
前記水平フレーム部材の少なくとも一つが横方向に延びるショルダフランジと鉛直方向に配置されたリブとを有し、前記ショルダフランジは前記対向する縁端空隙内の断熱バンドが外に出るのを阻止し、前記リブは前記対向する縁端空隙から鉛直方向に外れないように前記バンドに係合する、請求項１に記載の大開口シャッター。
【請求項６】
それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓を有する大開口シャッターであって、
前記水平フレーム部材は、前記シャッターが閉じた状態において対向する凹状縁端面と、前記シャッターが閉じた状態において前記水平領域を断熱するような関係で前記凹状縁端面と嵌合する事前成形された自己支持式の協働する雄型断熱バンド及び雌型断熱バンドを有し、これにより前記シャッターがガラス窓及び前記水平フレーム部材においてこれらを介した熱伝達に対して断熱される、大開口シャッター。
【請求項７】
前記鉛直フレーム部材が実質的に包囲された空隙を画成し、該空隙内に断熱バンドが断熱するような関係で配置され、これにより前記シャッターが前記ガラス窓、水平フレーム部材及び鉛直フレーム部材においてこれらを介した熱伝達に対して断熱される、請求項６に記載の大開口シャッター。
【請求項８】
前記フレーム部材がアルミニウムから製造される、請求項６に記載の大開口シャッター。
【請求項９】
前記断熱バンドが断熱プラスチック構造を具備する、請求項６に記載の大開口シャッター。
【請求項１０】
前記断熱バンドが協働する雄型構造体及び雌型構造体を具備し、前記雄型構造体は、前記対向する凹状縁端面の一方に充填され且つこれに係合する細長い本体と、平面内に延びるショルダと、該ショルダの平面及び前記対向する凹状縁端面を越えて延びる突出した中央部とをそれぞれ有し、前記雌型構造体は、前記対向する凹状縁端面の他方に充填され且つこれに係合する細長い本体と、平面内に延びるショルダと、該ショルダの平面の下の凹状中央部とをそれぞれ有し、前記雄型構造体と雌型構造体のショルダの平面が当接し、前記凹状中央部は前記雄型構造体と雌型構造体のショルダの平面が当接した状態において断熱するような関係で前記雄型構造体の突出した中央部を受け入れる形状であり、これにより、前記シャッターが閉じた状態にある時、断熱プラスチック製の前記構造体が自己カム式、自己整列式及び自己シール式となっている、請求項６に記載の大開口シャッター。
【請求項１１】
前記断熱プラスチック製の構造体がウレタンプラスチックを具備する、請求項１０に記載の大開口シャッター。
【請求項１２】
前記ガラス窓が、前記ガラス窓パネル間に断熱空間を画成するような関係でフレーム内に支持された第一ガラス窓パネル及び第二ガラス窓パネルを備える、請求項６に記載の大開口シャッター。
【請求項１３】
横列と縦列の開口部を有する格子を画成する鉛直方向及び水平方向に配置された複数の熱伝達性アルミニウム製金属フレーム部材と、前記開口部に嵌合する水平方向及び鉛直方向に分布する複数の断熱ガラス窓とを有する関節式の大開口矩形シャッターであって、
前記ガラス窓は前記ガラス窓パネル間に断熱空間を画成するような関係でフレーム内に支持された第一ガラス窓パネル及び第二ガラス窓パネルを具備し、前記鉛直方向及び水平方向に配置されたフレーム部材はそれぞれ隣接するガラス窓間に鉛直領域及び水平領域を画成し、前記水平フレーム部材は、前記シャッターが閉じた状態において対向する凹状縁端面と、事前成形された自己支持式の協働する雄型プラスチック発泡性断熱構造体及び雌型プラスチック発泡性断熱構造体とを有し、該雄型構造体は、前記対向する凹状縁端面の一方に充填され且つこれに係合する細長い本体と、所定平面内で延びるショルダと、前記ショルダの平面及び前記対向する凹状縁端面を越えて延びる突出した中央部とをそれぞれ有し、前記雌型構造体は、前記対向する凹状縁端面の他方に充填され且つこれに係合する細長い本体と、平面内で延びるショルダと、前記ショルダの平面の下の凹状中央部とをそれぞれ有し、前記シャッターが閉じた状態において前記雄型構造体と雌型構造体のショルダの平面が当接し、前記凹状中央部は断熱する関係にある前記雄型構造体と雌型構造体のショルダの平面が当接した状態において前記水平領域を断熱するような関係で前記雄型構造体の突出した中央部を受け入れる形状であり、前記鉛直フレーム部材が実質的に包囲された空隙を画成し、該空隙内に事前成形された自己支持式プラスチック発泡性断熱バンドが断熱するような関係で配置され、これにより前記シャッターが前記ガラス窓、水平フレーム部材及び鉛直フレーム部材においてこれらを介した熱伝達に対して断熱される、大開口矩形シャッター。
【請求項１４】
前記シャッターが閉じた状態にある時、前記雄型プラスチック発泡性断熱構造体と雌型プラスチック発泡性断熱構造体が自己カム式、自己整合式及び自己シール式である、請求項１３に記載のシャッター。
【請求項１５】
前記水平フレーム部材の少なくとも一つが横方向に延びるショルダフランジと鉛直方向に配置されたリブとを有し、前記ショルダフランジは前記対向する縁端空隙内の断熱バンドが外に出るのを阻止し、前記リブは前記対向する縁端空隙から鉛直方向に外れないように前記バンドに係合する、請求項１３に記載のシャッター。
【請求項１６】
前記凹状縁端面が前記凹状縁端面内に突出する横方向に延びるショルダフランジと鉛直方向に配置されたリブとをそれぞれ有し、前記ショルダフランジは凹状縁端面内から前記断熱バンドが出るのをそれぞれ阻止し、前記リブは互いに反対向きにされると共に凹状縁端面から鉛直方向に外れないように前記バンドの対応する一方とそれぞれ係合する、請求項１３に記載のシャッター。
【請求項１７】
前記フレーム部材がアルミニウムから製造される、請求項１３に記載のシャッター。
【請求項１８】
前記断熱バンドがウレタンプラスチックを具備する、請求項１３に記載のシャッター。
【請求項１９】
水平フレーム部材上に配置されると共に風及び風で吹き飛ばされた破片による折れ曲がりに対して当該シャッターをわずかに補強する程度の厚さと水平長さを有する後方に突出するフランジと、前記後方に突出するフランジに取り付けられる補助補強フランジとを有するシャッター。
【請求項２０】
大開口を断熱的に閉鎖する方法であって、
前記開口内に関節式多セクション型のシャッターを配置する工程と、それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓によって前記シャッターを断熱する工程とを含み、
前記水平フレーム部材は、前記シャッターが閉じた状態において対向する凹状縁端面を有し、前記シャッターが閉じた状態において前記水平領域を断熱するような関係で前記凹状縁端面と嵌合する事前成形された自己支持式の協働する雄型断熱バンドと雌型断熱バンドによって前記鉛直領域を断熱し、前記鉛直フレーム部材は、実質的に包囲された空隙を画成し、断熱するような関係で前記空隙内に配置された断熱バンドによって前記鉛直領域を断熱し、これにより前記シャッターが前記ガラス窓、水平フレーム部材及び鉛直フレーム部材においてこれらを介した熱伝達に対して断熱される方法。
【発明の詳細な説明】
【技術分野】
【０００１】
本発明は、大抵光を通すガラスの挿入物を備えた単一又は多数のパネルを有し、通常幅全体に亘ってチルトするか又は関節式に折れ曲がるように配置されて頭上の収納場所に出入りして例えば車輪及び軌道機構上に巻き取られるようになっている、組立て式の頭上収納型車庫式シャッター等を含むシャッター（Rolling Door）に関する。こうしたシャッターは商業的にはガソリンスタンド、消防署、「マリブ」オフィス等といった状況で一般的に使用されるが、車庫のシャッターとして従来の住宅での用途も見出されるし、また光を通す挿入物（通常、ガラス）を備えれば、生活空間及び大きな開口を選択的に閉鎖する一方でその閉鎖した空間に光を通すことができるような何らかの場所のシャッターとして従来の住宅での用途も見出される。
【背景技術】
【０００２】
採光ガラスを備えたチルト式単一パネル型及び多セクション型のシャッターは広く使用されているが、通常熱伝導アルミニウムであるフレーム部材を通じた熱損失により、シャッターの採光窓に断熱ガラス窓を使用している場合でもエネルギー効率が悪い。さらに、こうしたシャッターは一般に、破片の衝撃に耐えられなかったり激しい暴風の際遭遇する正圧及び負圧の元で折れ曲がったりしがちであり、国土のハリケーンの多い地方といった危険の多い場所では強度が十分ではない。
【発明の開示】
【発明が解決しようとする課題】
【０００３】
従って、本発明の目的は、優れた単一セクション型又は多セクション型のシャッターを提供することにある。本発明の更なる目的は、熱伝達を制限するために断熱窓ガラスが使用されると共に鉛直方向及び水平方向に配置された通常熱伝達性のガラス支持フレーム部材が隣接するガラスパネル間の鉛直領域及び水平領域で断熱されるシャッターを提供することにある。更なる目的は、例えば、自己支持式断熱材料をフレーム部材の開口、凹部並びに中空の縁端面及び縁端空隙と嵌合する輪郭に事前成形することによって、重大な熱損失が発生し得る領域（例えばフレーム部材内）に断熱材料を組み込み、そのように組み込まれる断熱材料を、良好な嵌合式及び自己圧縮式シールとをもたらすと共に想定内及び想定外のシャッターの運動があってもその設置位置に維持するように構成することにある。更なる目的は、シャッターが閉じた状態において対向する凹状に開放された縁端面又は閉じた縁端面から構成される縁端空隙を有する水平フレーム部材に、シャッターが閉じた状態において水平領域を断熱するような関係で凹状縁端面と嵌合する現場で成形されるか又は事前成形される自己支持式の協働するバンド（例えば雄型断熱バンドと雌型断熱バンド）を提供し、これによりシャッターがそのガラス窓及び水平フレーム部材においてこれらを介した熱伝達に対して断熱されるようにすることにある。更なる目的は、風力又は破片の衝撃による折れ曲がり及び他の変形に対抗すべくシャッターの全幅に亘って立体的輪郭を有するフランジ補強材を提供することにある。
【課題を解決するための手段】
【０００４】
本発明の上記目的及び以下で明らかになる他の目的は、それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓を有する大開口シャッターであって、水平フレーム部材が、シャッターが閉じた状態において対向する縁端空隙と、この凹状縁端空隙内に配置されると共にシャッターが閉じた状態において水平領域を断熱するような関係で協働する断熱バンドとを有し、これによりシャッターがそのガラス窓及び水平フレーム部材においてこれらを介した熱伝達に対して断熱される、大開口シャッターにおいて実現される。
【０００５】
この実施形態及び同様の実施形態では、通常、鉛直フレーム部材は実質的に包囲された空隙を画定し、この鉛直フレーム部材の空隙内に断熱バンドが断熱するような関係で設けられ、これによりシャッターがそのガラス窓、水平フレーム部材及び鉛直フレーム部材においてこれらを介した熱伝達に対して断熱される。シャッターは実質的に矩形であり関節式に折れ曲がり、対向する縁端空隙を有する水平フレーム部材はシャッターが関節式に折れ曲がるため角度を持つように分離可能であり、水平フレーム部材及び鉛直フレーム部材は横列と縦列の開口部を有する格子を画成し、ガラス窓はこれら開口部に嵌合し、水平フレーム部材は縁端空隙を画成するビームを具備し、フレーム部材はアルミニウムから製造され、断熱バンドは断熱プラスチック構造体を具備する。
【０００６】
更なる実施形態では、本発明は、収納場所を出入りして巻き取られるようになっており、それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓を有するチルト式単一セクションパネル型又は関節式多セクションパネル型の大開口シャッターであって、鉛直領域及び水平領域において金属フレーム部材の縁端空隙に断熱材が充填されており、適切には、カム動作の際協働する断熱バンドを当接させ縁端空隙を完全に閉鎖するカム圧縮のように協動して断熱すべく当接するように充填された、大開口シャッターを提供する。通常、水平フレーム部材は、シャッターが閉じた状態において対向する凹状開放縁端面から構成される縁端空隙を有し、この空隙にはシャッターが閉じた状態において水平領域を断熱するような関係で凹状縁端面と圧縮された関係で嵌合する事前成形された自己支持式の協働する雄型断熱バンドと雌型断熱バンドが充填され、これによりシャッターはそのガラス窓及び水平フレーム部材においてこれらを介した熱伝達に対して断熱される。
【０００７】
これ実施形態及び同様の実施形態では、通常、鉛直フレーム部材は縁端空隙を画成し、断熱バンドがこの縁端空隙内に成形されるか又は事前成形されて断熱するような関係でこの縁端空隙内に挿入され、これによりシャッターはそのガラス窓、水平フレーム部材及び鉛直フレーム部材においてこれらを介した熱伝達に対して断熱される。
【０００８】
さらに、通常、シャッターはほぼ矩形であり、水平方向及び鉛直方向のフレーム部材は横列と縦列の開口部を有する格子を画成し、ガラス窓は開口部に嵌合せしめられ、フレーム部材はアルミニウムから製造され、断熱バンドは断熱構造体、例えば固体、多孔質、層状、均一又は粒子状の物体（例えば、縁端空隙内で露出された又は閉じられた断熱構造体内の断熱性を提供する鉱物、プラスチック又はセルロース粒子、ウェブ、繊維又は他の構造体の多数の空所を画定する物体）を備え、断熱バンドは嵌合する時に協働する雄型構造体と雌型構造体とを備え、雄型構造体は、縁端空隙の対向する凹状縁端面の一方に実質的に充填され且つこれに係合する細長い本体と、所定平面内に延びるショルダと、ショルダの平面及び対向する凹状縁端面を越えて延びる大き目の突出した中央部とをそれぞれ有し、雌型構造体は、縁端空隙の対向する凹状縁端面の他方に実質的に充填され且つこれに係合する細長い本体と、所定平面内に延びるショルダと、ショルダの平面の下の凹状中央部とをそれぞれ有し、雄型構造体と雌型構造体のショルダの平面は当接し、凹状中央部は断熱するような関係で雄型構造体と雌型構造体のショルダの平面が当接した状態において雄型構造体の突出した中央部をカム式の圧縮された関係で受け入れる形状であり、これによりシャッターが閉じた状態にある時に断熱構造体は自己カム式、自己整合式、自己圧縮式及び自己シール式となっており、断熱構造体は、鉱物材料（例えばガラス又は鉱物繊維）、セルロース材料（例えば紙）、吹き付けられた、事前成形された、粒子状及び／又は延伸膨張性、吹き込みされた、発泡性の、或いは固体状の合成有機プラスチック等（ポリエチレン、ポリプロピレン、ポリスチレン及びそれらの共重合体といったポリオレフィン、並びにポリウレタンを含む）のプラスチック材料を備え、ガラス窓はガラス窓パネル間に断熱空間を画成するような関係でフレーム内に支持された第一ガラス窓パネル及び第二ガラス窓パネルを備える。
【０００９】
更なる実施形態では、本発明は、それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓を有する関節式の大開口シャッターであって、水平フレーム部材は、シャッターが閉じた状態において凹状縁端面内にある対向する縁端空隙と、シャッターが閉じた状態において水平領域を断熱するような関係で後部が凹状縁端面と圧縮された関係で適切に嵌合し前部がカム式及び自己圧縮式の関係で互いに嵌合する協働する雄型断熱バンド及び雌型断熱バンドを有し、鉛直フレーム部材が実質的に包囲された縁端空隙を画成し、この空隙内に断熱バンドが断熱するような関係で配置され、これによりシャッターがそのガラス窓、水平フレーム部材及び鉛直フレーム部材においてこれらを介した熱伝達に対して断熱され、協働する雄型断熱バンドと雌型断熱バンドとの嵌合が、シャッターが閉じた状態にある時にこれらバンドが相互圧縮を通じて自己カム式、自己整合式及び自己シール式になるようなものである、大開口シャッターを提供する。
【００１０】
更なる実施形態では、本発明は、それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓を有する関節式の大開口シャッターであって、水平フレーム部材が、シャッターが閉じた状態において対向する凹状縁端面と、シャッターが閉じた状態において水平領域を断熱するような関係で後部が凹状縁端面と嵌合し前部が互いに嵌合する事前成形された自己支持式の協働する雄型断熱バンドと雌型断熱バンドとを有し、鉛直フレーム部材が実質的に包囲された空隙を画成し、この空隙内に断熱バンドが断熱するような関係で配置され、これによりシャッターがそのガラス窓、水平フレーム部材及び鉛直フレーム部材においてこれらを介した熱伝達に対して断熱される、大開口シャッターを提供する。
【００１１】
この実施形態及び同様の実施形態では、通常、協働する雄型断熱バンドと雌型断熱バンドとの嵌合は、シャッターが閉じた状態にある時にバンドが自己カム式、自己整合式、自己圧縮式、及び自己シール式になるようなものであり、少なくとも一つの凹状縁端面は凹状縁端面内の断熱バンドが外に出るのを阻止する凹状縁端面内に突出する横方向に延びるショルダフランジと、断熱バンドが凹状縁端面から鉛直方向に外れないように断熱バンドに係合する鉛直方向に配置されたリブとを有するか又は、各凹状縁端面はそれぞれの凹状縁端面内から断熱バンドが出るのを阻止する凹状縁端面内に突出する横方向に延びるショルダフランジと、各凹状縁端面から鉛直方向に外れないように対応する一方の断熱バンドに係合する鉛直方向に配置された反対向きのリブとを有し、シャッターはほぼ矩形であり、水平フレーム部材及び鉛直フレーム部材は横列と縦列の開口部を有する格子を画成し、ガラス窓は開口部に嵌合し、フレーム部材はアルミニウムから製造され、断熱バンドは断熱構造を備え、断熱バンドは協働する雄型構造体と雌型構造体とを備え、各雄型構造体は、対向する凹状縁端面の一方に実質的に充填され且つそれに係合する細長い本体と、所定平面内に延びるショルダと、ショルダの平面及び対向する凹状縁端面を越えて延びる突出した中央部とを有し、各雌構造は、対向する凹状縁端面の他方に実質的に充填され且つそれに係合する細長い本体と、所定平面内に延びるショルダと、ショルダの平面の下の凹状中央部とを有し、雄型構造体と雌型構造体のショルダの平面が当接し、凹状中央部は雄型構造体と雌型構造体のショルダの平面が当接した状態において中央部が相互に圧縮し断熱するような関係で雄構造の突出した中央部を受け入れる形状であり、断熱構造体はプラスチックを備え、ガラス窓はガラス窓パネル間に断熱空間を画成するような関係でフレーム内に支持された第一ガラス窓パネル及び第二ガラス窓パネルを備える。シャッターは矩形でもよいが、正方形、台形又は他の幾何学的構成といった他の形状も考慮される。
【００１２】
更なる特定の実施形態では、本発明は、横列と縦列の開口部を有する格子を画成する鉛直方向及び水平方向に配置された複数の熱伝達性アルミニウム製金属フレーム部材と、開口部に嵌合する水平方向及び鉛直方向に分布する複数の断熱ガラス窓とを有する関節式の大開口矩形シャッターであって、ガラス窓がガラス窓部材間に断熱空間を画定するような関係でフレーム内に支持された第一ガラス窓パネル及び第二ガラス窓パネルを備え、鉛直方向及び水平方向に配置されたフレーム部材がそれぞれ隣接するガラス窓間に鉛直領域及び水平領域を画成し、水平フレーム部材が、シャッターが閉じた状態において対向する凹状縁端面と、事前成形された自己支持式の協働する雄型気泡性断熱構造体と雌型気泡性断熱構造とを有し、各雄型構造体が、対向する凹状縁端面の一方に実質的に充填され且つそれに係合する細長い本体と、所定平面内に延びるショルダと、ショルダの平面及び対向する凹状縁端面を越えて延びる突出した中央部とを有し、各雌型構造体が、対向する凹状縁端面の他方に実質的に充填され且つ対向する凹状縁端面の他方に係合する細長い本体と、所定平面中に延びるショルダと、ショルダの平面の下の凹状中央部とを有し、雄型構造体と雌型構造体のショルダの平面がシャッターが閉じた状態において当接し、凹状中央部が断熱する関係にある雄型構造体と雌型構造体のショルダの平面が当接した状態において水平領域を断熱するような関係で雄型構造体の突出した中央部を圧縮した関係で受け入れる形状であり、鉛直フレーム部材が、実質的に密閉された空隙と、断熱するような関係で空隙内に事前成形された自己支持式プラスチック発泡性断熱バンドとを画成し、これによりシャッターがそのガラス窓、水平フレーム部材及び鉛直フレーム部材においてこれらを介した熱伝達に対して断熱される、大開口矩形シャッターを提供する。更に幾つかの実施形態では、風及び風で吹き飛ばされた破片による折れ曲がりに対してシャッターをわずかに補強する程度の厚さと水平長さを有する水平フレーム部材上の後方に突出したフランジと、この突出フランジよりも実質的に厚く且つ水平方向に長い突出フランジのフランジ延長部とが更に提供され、フランジ延長部は突出フランジの厚さを受け入れるように部分的に薄くなっていると共に突出フランジに取り付けられる。
【００１３】
更なる実施形態では、本発明は、それぞれ隣接するガラス窓間の鉛直領域及び水平領域に配設された鉛直方向及び水平方向に配置された複数の熱伝達性金属フレーム部材によって支持された水平方向及び鉛直方向に分布する複数の断熱ガラス窓を有する関節式の大開口シャッターであって、水平フレーム部材は、シャッターが閉じた状態において対向する凹状縁端面と、風及び風で吹き飛ばされた破片による折れ曲がりに対してシャッターをわずかに補強する程度の厚さと水平長さを有する水平フレーム部材上の後方に突出するフランジと、このフランジよりも実質的に厚く且つ水平方向に長い突出フランジのフランジ延長部であって、突出フランジの厚さを受け入れるように部分的に薄くなっていると共に突出フランジに取り付けられるフランジ延長部と、シャッターが閉じた状態において水平領域を断熱するような関係で凹状縁端面と嵌合する事前成形された自己支持式の協働する雄型断熱バンドと雌型断熱バンドとを有し、鉛直フレーム部材が、実質的に包囲された空隙と、断熱するような関係で空隙内にある断熱バンドとを画成し、これによりシャッターがそのガラス窓、水平フレーム部材及び鉛直フレーム部材においてこれらを介した熱伝達に対して断熱される大開口シャッターを提供する。
【００１４】
更なる実施形態では、本発明は、それぞれ隣接するガラス窓間の鉛直領域及び水平領域に配設された鉛直方向及び水平方向に配置された熱伝達性金属フレーム部材によって支持された水平方向及び鉛直方向に分布する複数の断熱ガラス窓を有する関節式の大開口シャッターであって、水平フレーム部材はシャッターが閉じた状態において対向する凹状縁端面と、上記領域を介した熱伝達を阻止する断熱バンドと、風及び風で吹き飛ばされた破片による折れ曲がりに対してシャッターをわずかに補強する程度の厚さと水平長さの水平フレーム部材上の後方に突出するフランジと、この突出フランジよりも実質的に厚く且つ水平方向に長い突出フランジに取り付けられるフランジ延長部とを有する大開口シャッターを提供する。
【００１５】
方法の態様では、本発明は、大開口を断熱的に閉鎖する方法であって、開口内に例えば関節式多セクション型のシャッターを配置する工程と、それぞれ隣接するガラス窓の間の鉛直領域及び水平領域に配設された鉛直方向及び水平方向に配置された複数の熱伝達性金属フレーム部材によって支持された水平方向及び鉛直方向に分布する複数の断熱ガラス窓によってシャッターを断熱する工程とを含み、水平フレーム部材は、シャッターが閉じた状態において対向する縁端空隙、例えば凹状縁端面を有し、シャッターが閉じた状態において水平領域を断熱するような関係で凹状縁端面と嵌合する断熱バンド（例えば、閉じた形状の縁端空隙内の断熱バンドであって事前成形された自己支持式、自己カム式、自己圧縮式の協働する雄型断熱バンドと雌型断熱バンド）によって鉛直領域を断熱し、鉛直フレーム部材は、実質的に包囲された空隙を画成し、断熱するような関係で空隙内に配置された断熱バンドによって鉛直領域を断熱し、これによりシャッターがそのガラス窓、水平フレーム部材及び鉛直フレーム部材においてこれらを介した熱伝達に対して断熱される方法を提供する。
【００１６】
本発明を添付の図面と共にさらに説明する。
【発明を実施するための最良の形態】
【００１７】
ここで図面を詳細に参照すると、図１〜図１０では、シャッター１０が大開口１２のために提供される。シャッターは、チルト式単一パネル型又図８に示す関節式多セクション型のパネルでよく、これらパネルはその幅全体にわたって一定間隔を開けて１１においてヒンジ式に連結されていると共に水平方向及び鉛直方向に分布する多数の断熱ガラス窓１４、例えば間に真空又はガスを充填した断熱空間１４３を備えた二重ガラス窓パネル１４１、１４２（図７）を有する。ガラス窓１４は、鉛直フレーム部材１６にシールされており、断面が幾分ダンベル形の細長いプラスチック（例えばポリ塩化ビニルすなわちビニル）製のストリップ１４５によって緩衝されている。これらストリップ１４５は鉛直フレーム部材内に押し出し成形されたポケット１４６内に保持される。ポケット１４６は断熱材料２６によって断熱されてもよい。ガラス窓１４は鉛直方向及び水平方向に配置された複数の熱伝達性金属フレーム部材１６（鉛直）、１８（水平）によって支持されており、これら金属フレーム部材１６、１８はそれぞれ隣接するガラス窓１４の間に位置するシャッター１０の鉛直領域１６１及び水平領域１８１に配置される。開放縁端空隙１３、１５はそれぞれ、水平金属フレーム部材１８の凹状縁端面２２、２４（図１〜図１０）によって画定され、断熱バンド２２１、２４１が例えば９５％又はそれ以上まで実質上充填された水平領域１６１を提供する。図示した実施形態では、鉛直領域１６１を画定する鉛直部材１６は、断熱バンド２７が９５容量％又はそれ以上まで実質上充填された内部空隙２６を有する。
【００１８】
図１〜図１０の実施形態では、断熱バンド２２１、２４１はその接合部２３においてカム圧縮（camming compression）のように断熱すべく協働して当接するのに適切な形状であり、断熱バンドの対向面２３１、２３２に比較的圧縮された断熱材料２９のゾーン２５を提供するので、縁端空隙１３、１５は完全に閉鎖され、接合部２３に熱を通さない境界面が形成される。図６に明示したように、断熱バンド２２１、２４１の接触線は断熱バンドの面２３１、２３２の間の接合部２３にあり、これら面２３１、２３２の内側の高圧縮ゾーン２５で示された圧縮効果を伴う。
【００１９】
特に図１〜図１０の実施形態では、水平フレーム部材１８は凹状縁端面２２、２４を有し、これらは、例えば図５に示すようなシャッターが閉じた状態で対向する開放縁端空隙１３、１５を画定する。凹状縁端面２２、２４内にはそれぞれ事前成形された自己支持式の協働する（例えば雄と雌）断熱バンド２２１、２４１があり、これらは水平領域１８１を断熱するような関係でシャッター１０が閉じた状態において凹状縁端面と圧縮状態で嵌合する。従って、シャッター１０はそのガラス窓又は水平フレーム部材１８を介した熱伝達に対して断熱される。
【００２０】
鉛直フレーム部材１６はほぼ密閉された縁端空隙２６を画定する。断熱バンド２７は、通常例えば気泡ポリスチレンの細長いブロック３２であり、断熱するような関係で空隙２６内に形成されるか又は空隙２６内に挿入される。断熱バンド２７が配置されると、シャッター１０はそのガラス窓１４、水平フレーム部材１８及び鉛直フレーム部材１６においてこれらを介した熱伝達に対して断熱される。
【００２１】
通常、シャッター１０は図示したようにほぼ矩形であり、鉛直フレーム部材１６及び水平フレーム部材１８は横列と縦列の開口部３４１、３４２を有する格子３４を画定し、開口部にはガラス窓１４が嵌合される。一般にフレーム部材１６、１８はアルミニウムで製造されるが、木材及び、鋼鉄のような十分な強度と耐久性を有する他の材料を使用してもよい。
【００２２】
互いに嵌合する断熱バンド２２１、２４１は、それぞれ、断熱構造体２８、例えば固体、多孔質、層状、均一又は粒子状の物体を具備し、このような断熱構造体２８としては、縁端空隙１３、１５内で露出された又はこれら内に閉じられて断熱性を提供する鉱物、プラスチック又はセルロース粒子、ウェブ、繊維又は他の構造体といった多数の空所を画成する物体等が挙げられる。断熱バンド２２１、２４１はそれぞれ協働する雄構造体２８１及び雌構造体３８１を具備する。雄構造体２８１は、開放縁端空隙１３、１５の対向する凹状縁端面の一方２２にほぼ充填され且つそれに係合する細長い本体２８２をそれぞれ有する。本体ショルダ２８３、２８４が平面Ｐ、Ｒ内で延び、雄構造体の細長い本体２８２は縁端空隙１３の凹状縁端面の一方である縁端面２２に係合する。本体の突出した中央部２８５は大きめになっており、ショルダの平面Ｐ、Ｒ及び係合する凹状縁端面２２を越えて延びる。
【００２３】
雌構造体３８１は、縁端空隙１３、１５の対向する凹状縁端面の他方２４にほぼ充填され且つそれに係合する細長い本体３８２をそれぞれ有し、そのショルダ３８３、３８４は平面Ｐ、Ｒ内においてシャッター１０が閉じた状態で平面Ｐ、Ｒと平行に且つ平面Ｐ、Ｒにほぼ一致するように延びる。雌の細長い本体３８２は対向する凹状縁端面の他方、すなわち縁端面２４に充填され且つそれに係合する。雌構造体の本体３８２は、概して雄構造体の突出した中央部２８５と合致すると共にショルダの平面Ｒ−Ｒの下に位置する凹状中央部３８５を更に有する。凹状中央部３８５と突出した中央部２８５とが合致することにより、これら中央部は互いにカム摺動し、よって自己カム動作（self-camming action）によって凹状中央部３８５を突出した中央部２８５の中心に合わせることができる。雄ショルダと雌ショルダとは概して図示したように当接する。凹状中央部３８５は、図示したように、シャッター１０が閉じた状態で断熱効果をもたらす関係にある雄ショルダと雌ショルダとが当接した状態において、雄構造体の突出した中央部２８５をカム式に圧縮した関係で受け入れる形状となっている。図６及び図９に明示したように、断熱構造体２８１、３８１は、シャッター１０が閉じた状態にある時、自己カム式、自己整合式、自己圧縮式及び自己シール式となるように配設される。すなわち、シャッター１０を閉じた状態にすると、断熱構造体２８１、３８１は互いにさらに押し付けられるので、面２３１、２３２の直ぐ内側の断熱本体の領域２５が例えば３〜１２容量％まで比較的圧縮され、これにより構造体２８１、３８１間においてより確実に熱が通らないようにされる。
【００２４】
概して、断熱構造体２８１、３８１（及び該当する場合バンド２７）は、例えば、鉱物材料（例えばガラス又は鉱物繊維）、構造体内に断熱性の空所を提供するビーズ又は他の形状、セルロース材料（例えば、紙）、吹き付けられた、事前成形された、粒子状及び／又は延伸膨張性の、吹き込みされた、発泡性の、或いは固体状の合成有機プラスチック等（ポリエチレン、ポリプロピレン、ポリスチレン及びそれらの共重合体といったポリオレフィン、並びにポリウレタンを含む）のプラスチック材料を備える。これら材料は、それ自体が断熱特性をもたらす又は気泡性の空所を画定する構造体により断熱特性をもたらす縁端空隙中１３、１５内で露出しているか又は閉じている断熱構造体に断熱性を提供する鉱物、プラスチック又はセルロース粒子、ウェブ、繊維又はその他の構造体であって多数の空所を画定するもの（特に発泡焼結ポリスチレンのビーズ又は他の発泡性又は気泡性ポリスチレン材料）のような固体状、多孔質状、層状、均一性又は粒子状の物体の形態とされる。ガラス窓１４は、ガラス窓パネル間に停滞空気／ガスを充填した断熱空間１４３を画成するようにフレーム１４４中に支持された第１のガラス（又はプラスチック）窓パネル１４１及び第２のガラス（又はプラスチック）窓パネル１４２を具備する。
【００２５】
さらに、本発明は、水平方向及び鉛直方向に多数の分布する断熱ガラス窓１４を有する関節式の大開口シャッター１０を提供する。これら断熱ガラス窓１４は複数の鉛直方向及び水平方向に配置された熱伝達性金属フレーム部材１６、１８によって支持され、これら金属フレーム部材１６、１８はそれぞれ隣接するガラス窓間の鉛直領域１６１及び水平領域１８１に配設される。
【００２６】
水平フレーム部材１８は、シャッター１０が閉じた状態において凹状縁端面２２、２４内に配置された対向する開放縁端空隙１３、１５を有する。事前成形された自己支持式、自己カム式及び自己圧縮式の協働する雄と雌の断熱バンド２２１、２４１は、シャッターが閉じた状態において、水平領域１８１を断熱するような関係で、後方において４２で凹状縁端面２２、２４に圧縮された状態で嵌合する。断熱バンドは、前方において、図５、図６及び図９に示したように、互いに対してカム式、自己圧縮式及び互いに入れ子式に嵌合する。鉛直フレーム部材１６はほぼ密閉された縁端空隙２６を画成する。断熱バンド２６１は断熱するような関係でこの空隙内に設けられ、これによりシャッター１０はそのガラス窓１４、水平フレーム部材１８及び鉛直フレーム部材１６においてこれらを介した熱伝達に対して断熱される。上記実施形態と同様に、協働する雄型断熱バンド２２１と雌型断熱バンド２４１との嵌合は、シャッター１０が閉じた状態にある時にこれらバンドが相互に圧縮することにより自己カム式、自己整列式及び自己シール式になるようにされている。
【００２７】
さらに、本出願のこれら実施形態及び他の実施形態では、図５に明示したように、凹状縁端面２２、２４は横方向に（面の内側に）突出したショルダフランジ２２３、２４３を有し、これらショルダフランジ２２３、２４３は断熱バンド２２１、２４１と連動してこれらバンドが凹状縁端面から出るのを阻止する。さらに、凹状縁端面２２、２４は反対方向に向けられたた鉛直リブ２２４、２４４を画成し、これらリブ２２４、２４４はシャッター１０が閉じた状態において断熱バンド２２１、２４１が凹状縁端面から外れないように固定すべく断熱バンド２２１、２４１の外面２２１１及び２４１１と係合する。
【００２８】
本発明の更なる態様では、特に図１及び図９を参照すると、本発明の一部の実施形態においては、一つ又はそれ以上の水平フレーム部材１８に後方に突出するフランジ５２が更に設けられ、この突出フランジ５２は風及び風で吹き飛ばされた破片による折れ曲がりに対抗してシャッター１０をわずかに補強する程度の厚さと水平長さを有する。さらに、図９に示したように、突出フランジ５２上には丸みのある縁端フランジ５５を有するフランジ延長部５４が設けられ、このフランジ延長部５４は突出フランジ５２よりも実質的に厚く且つ水平方向に長い。フランジ延長部５４は突出フランジ５２の厚さを受け入れるように５６で部分的に薄くなっている。フランジ延長部はボルト５８、溶接、又は他の手段によって突出フランジに取り付けられる。
【００２９】
従って、更なる実施形態では、図１及び図９に明示したように、本発明は、それぞれ隣接するガラス窓間の鉛直領域１６１及び水平領域１８１に配設された鉛直方向及び水平方向に配置された複数の熱伝達性金属フレーム部材１６、１８によって支持された水平方向及び鉛直方向に分布する複数の断熱ガラス窓１４を有する関節式の大開口シャッター１０を提供する。水平フレーム部材は、シャッターが閉じた状態において対向する凹状縁端面２２、２４と、水平フレーム部材１８の後方に（シャッター１０の設置状態では内側の）突出するフランジ５２であって風及び風で吹き飛ばされた破片による折れ曲がりに対抗してシャッターをわずかに補強する程度の（すなわち約４５ｍ／ｓ（１００マイル／時）以上の風及び重い飛来破片に対する補強としては不十分な）厚さと水平長さを有するフランジ５２と、図示したように、突出フランジよりも実質的に厚く且つ水平方向に長い突出フランジのフランジ延長部５４であってボルト５８又は他の固定手段によって取り付けられる突出フランジの厚さを受け入れるように５６で部分的に薄くなっているフランジ延長部５４とを有する。事前成形された自己支持式の協働する雄型断熱バンド２２１と雌型断熱バンド２４１がそれぞれ凹状縁端面２２、２４に確実に固定される。
【００３０】
さらに、シャッター１０が閉じた状態では、バンド２２１、２４１は断熱するような関係で水平領域１８１に延びる。鉛直フレーム部材は実質的に包囲された空隙２６を画成し、鉛直領域１６１内の断熱バンド２６１が断熱するような関係で上記空隙内に配置され且つ実質的にこの空隙に充填され、これによりシャッターはそのガラス窓、水平フレーム部材及び鉛直フレーム部材においてこれらを介した熱伝達に対して断熱される。
【００３１】
方法の態様では、本発明は、大開口１２を断熱的に閉鎖する方法であって、開口内にシャッター１０を配置する工程と、それぞれ隣接するガラス窓間の鉛直領域１６１及び水平領域１８１に配設され且つ鉛直方向及び水平方向に配置された複数の熱伝達性の金属フレーム部材１６、１８によって支持された水平方向及び鉛直方向に分布する複数の断熱ガラス窓１４によってシャッターを断熱する工程とを有する方法を提供する。この方法では、水平フレーム部材は、シャッターが閉じた状態において縁端空隙１３、１５のような対向する凹状縁端空隙と凹状縁端面２２、２４とを有し、例えば縁端空隙内の断熱バンド２２１、２４１によって水平領域を断熱する。断熱バンド２２１、２４１は事前成形された自己支持式、自己カム式、自己圧縮式の協働する雄型断熱バンド及び雌型断熱バンドであり、これら断熱バンドはシャッターが閉じた状態において水平領域を断熱するような関係で凹状縁端面と嵌合する。鉛直フレーム部材は実質的に包囲された空隙２６を画成し、断熱構造体２７、例えば断熱するような関係で空隙内に設けられた断熱バンド２６１によって鉛直領域を断熱し、これによりシャッターがそのガラス窓、水平フレーム部材及び鉛直フレーム部材においてこれらを介した熱伝達に対して断熱される。
【００３２】
したがって、本発明は、熱伝達を制限するため断熱窓ガラスが使用されると共に普通の熱伝達性の鉛直ガラス支持金属フレーム部材及び水平ガラス支持金属フレーム部材が隣接する窓ガラス間の鉛直領域及び水平領域内で断熱された、単一セクション型又は多セクション型のシャッターを提供する。フレーム部材の断熱は、重大な熱損失が発生し得る随所、例えばフレーム部材内に断熱材料を組み込むこと、及びそのように組み込まれる断熱材料を、良好な嵌合及び自己圧縮式シール又は閉鎖式シールとをもたらすと共に想定内及び想定外のシャッターの運動にもかかわらずその取付け位置内に保持するように構成することによって行われる。このことは、自己支持式断熱材料をその場で形成してシャッターが閉じた状態で対向する開放又は閉鎖された縁端面から構成される縁端空隙を有するフレーム部材の開口、凹部及び中空の縁端空隙と嵌合する輪郭にするか、又は自己支持式断熱材料をシャッターが閉じた状態において水平領域を断熱するような関係で凹状縁端空隙及び面と嵌合する自己支持式の協働するバンド（例えば雄型断熱バンド及び雌型断熱バンド）とすることによって行われ、これによりシャッターがそのガラス窓及び水平フレーム部材を介した熱伝達に対して断熱される。或いは、断熱バンドを閉じた形状の水平縁端空隙及び鉛直縁端空隙に一致することによって行われる。また、風力又は破片の衝撃よる折れ曲がり及び他の変形に対する補強材がシャッターの全幅に亘って提供される。
【図面の簡単な説明】
【００３３】
【図１】本発明に係る大開口シャッターの背面斜視図である。
【図２】図１の大開口シャッターの部分正面図である。
【図３】図２の線３で囲んだ部分の詳細図である。
【図４】フレーム部材断熱材を挿入する前のシャッターの垂直断面図である。
【図５】図２の線５−５に沿って見た嵌合式水平フレーム部材の断熱材を示す、部分拡大垂直断面図である。
【図６】図５の線６で囲んだ部分の詳細図である。
【図７】図２の線７−７に沿って見た垂直フレーム部材の断熱材の部分拡大詳細図である。
【図８】定位置に配置した水平フレーム部材を示すシャッター組立体の斜視図である。
【図９】ハリケーンの強風及び飛来する破片といった極限状態に対する補強フランジとそれに取り付けたフランジ延長部とを備え、垂直及び水平部材の断熱材を定位置に配置した、図１の線９に沿って見た部分詳細図である。
【図１０】定位置に配置した垂直及び水平部材断熱材を示す、シャッターの一部の部分図である。
【符号の説明】
【００３４】
１０    シャッター
１２    大開口
１３    縁端空隙
１４    ガラス窓
１５    縁端空隙
１６    鉛直フレーム部材
１８    水平フレーム部材
２２    凹状縁端面
２４    凹状縁端面
２６    空隙
２７    断熱構造体
２８    断熱構造体
【図１】
2007315168.tif 000003
【図２】
2007315168.tif 000004
【図３】
2007315168.tif 000005
【図４】
2007315168.tif 000006
【図５】
2007315168.tif 000007
【図６】
2007315168.tif 000008
【図７】
2007315168.tif 000009
【図８】
2007315168.tif 000010
【図９】
2007315168.tif 000011
【図１０】
2007315168.tif 000012